(57)【要約】【課題】パチンコ台やスロットマシーン等が設置された遊戯場で、遊戯者の手荷物が遊戯の障害にならず且つ安全に保管できる手荷物収納具を提供する。【解決手段】上方又は左右方向に開放するポケット部(6)と、前記ポケット部(6)に連設され、且つ、遊戯台(7)の上方に隣接する壁板(70)に着脱し得る取付部材(3a)(3b)(4a)(4b)を具備する手荷物収納具。【選択図】図４
0003127058.tif 000002
【実用新案登録請求の範囲】
【請求項１】
上方又は左右方向に開放するポケット部と、
前記ポケット部に連設され、且つ、遊戯台の上方に隣接する壁板に着脱し得る取付部材を具備する手荷物収納具。
【請求項２】
請求項１に記載の手荷物収納具に於いて、
前記取付部材は、
前記ポケット部の上部の左右両端近傍に夫々連設された一対の上方バンドと、
前記ポケット部の下部の左右両端近傍に夫々連設された一対の下方バンドと、
前記一対の上方バンドと、これら上方バンドに各別に対応する下方バンドを結合分離可能に連結する連結具と、を具備し、
前記上方バンドは前記壁板の上側から裏側に回される一方、前記下方バンドは前記壁板の下側から裏側に回され、これら壁板の裏側の上方バンドと下方バンドが前記連結具で結合分離可能に連結される、手荷物収納具。
【請求項３】
請求項１又は請求項２に記載の手荷物収納具に於いて、
前記ポケット部は、実質的に平坦な矩形状シートの下部域を上部域の表面に重ねるように折り返して形成されたものであり、
折り返された前記下部域の先端部の左右両端近傍の夫々と、前記上部域は、ジョイントによって結合分離可能に結合されている、手荷物収納具。
【請求項４】
請求項１から請求項３の何れかに記載の手荷物収納具に於いて、
前記ポケット部は、内部を透視できる材料で形成されている、手荷物収納具。
【請求項５】
請求項４に記載の手荷物収納具に於いて、
前記透視できる材料は網シートである、手荷物収納具。
【請求項６】
請求項１から請求項５の何れかに記載の手荷物収納具に於いて、
前記ポケット部の外面には、透明な補助ポケットが設けられている、手荷物収納具。
【請求項７】
上方又は左右方向に開放するポケット部と、
前記ポケット部に連設され、且つ、被取付部に着脱し得る取付部材を具備する手荷物収納具であって、
前記取付部材は、
前記ポケット部の上部の左右両端近傍に夫々連設された一対の上方バンドと、
前記ポケット部の下部の左右両端近傍に夫々連設された一対の下方バンドと、
前記一対の上方バンドと、これら上方バンドに各別に対応する下方バンドを結合分離可能に連結する連結具と、を具備し、
前記上方バンドは前記被取付部の上側から裏側に回される一方、前記下方バンドは前記被取付部の下側から裏側に回され、これら被取付部の裏側の上方バンドと下方バンドが前記連結具で結合分離可能に連結される、手荷物収納具。
【考案の詳細な説明】
【技術分野】
【０００１】
本考案は、パチンコ台やスロットマシーン等が設置された遊技場で遊戯者の手荷物を収納する手荷物収納具に関するものである。
【背景技術】
【０００２】
パチンコ店では、各遊戯者の専用スペ−スが極めて狭く、又、両手が遊戯に占有されていることが多いので、手荷物の保管に苦慮する。
手荷物を膝の上に置くことも可能であるが、パチンコ台からの出球を玉収納箱に出し入れする際等に邪魔になり、特に、手荷物が多い場合は保管し難い。
又、遊戯者の視線が届き難い足元に手荷物を置く場合には、盗難の恐れがあり、防犯面でも問題があると共に、置き忘れの心配がある。
【考案の開示】
【考案が解決しようとする課題】
【０００３】
本考案は係る点に鑑みて成されたもので、パチンコ台やスロットマシーン等が設置された遊戯場で、遊戯者の手荷物が遊戯の障害にならず且つ安全に保管できる手荷物収納具を提供することを課題とする。
【課題を解決するための手段】
【０００４】
［請求項１に係る考案］
上記課題を解決するための請求項１に係る考案は、
『上方又は左右方向に開放するポケット部と、
前記ポケット部に連設され、且つ、遊戯台の上方に隣接する壁板に着脱し得る取付部材を具備する手荷物収納具』である。
請求項１に係る考案の手荷物収納具は、遊戯台の上方に隣接する壁板に取付部材で取付られる。前記壁板に取り付けられた本考案の手荷物収納具のポケット部は、上方又は左右方向に開放しているから、該開放部から遊戯者の手荷物を出し入れすることができる。
【０００５】
［請求項２に係る考案］
請求項２に係る考案は、
請求項１に係る考案に於いて、
『前記取付部材は、
前記ポケット部の上部の左右両端近傍に夫々連設された一対の上方バンドと、
前記ポケット部の下部の左右両端近傍に夫々連設された一対の下方バンドと、
前記一対の上方バンドと、これら上方バンドに各別に対応する下方バンドを結合分離可能に連結する連結具と、を具備し、
前記上方バンドは前記壁板の上側から裏側に回される一方、前記下方バンドは前記壁板の下側から裏側に回され、これら壁板の裏側の上方バンドと下方バンドが前記連結具で結合分離可能に連結される』ことである。
【０００６】
請求項２の手荷物収納具を遊戯台側に取り付けるときは、先ず、遊戯台の上方に隣接する壁板の正面にポケット部（上方又は左右方向に開放している）を沿わせた状態にする。この状態で、ポケット部の上部に連設された左右一対の上方バンドを壁板に対して上方から裏側に巻き付けるように掛ける。次に、ポケット部の下部に連設された左右一対の下方バンドを、遊戯台の上方の壁板に対して下方から裏側に回し、壁板の裏側で上方バンドと下方バンドを連結具で連結する。これにより、上下のバンドが遊戯台の上方に隣接する壁板の裏側に捲回された状態になり、本考案の手荷物収納具が遊戯台の上方に取り付けられる。
【０００７】
［請求項３に係る考案］
請求項１又は２に係る考案に於いて、
『前記ポケット部は、実質的に平坦な矩形状シートの下部域を上部域の表面に重ねるように折り返して形成されたものであり、
折り返された前記下部域の先端部の左右両端近傍の夫々と、前記上部域は、ジョイントによって結合分離可能に結合されている』ものとすることができる。
このものでは、矩形状シートの下部域を上部域の表面に重ねるように折り返すとともに、折り返した下部域の先端部を、前記上部域にジョイントで結合すると、これら下部域と上部域の間にポケット部が形成される。
又、矩形状シートを折り畳んでジョイントで結合するだけでポケット部が形成されるから、該ポケット部を容易に形成することができる。
【０００８】
［請求項４に係る考案］
請求項１〜３に係る考案に於いて、
『前記ポケット部は、内部を透視できる材料で形成されている』ものでは、ポケット部に収納した手荷物を外部から透視できるから、手荷物の置き忘れの心配が少ない。
【０００９】
［請求項５に係る考案］
請求項４に係る考案に於いて、
『前記透視できる材料は、網シートである』ものとすれば、手荷物収納具の軽量化が図れる。
【００１０】
［請求項６に係る考案］
請求項１〜請求項５に係る考案に於いて、
『前記ポケット部の外面には、透明な補助ポケットが設けられている』ものでは、補助ポケットに装飾用又は宣伝広告用の印刷物等を装填することができる。
【００１１】
［請求項７に係る考案］
請求項７に係る考案は、
『上方又は左右方向に開放するポケット部と、
前記ポケット部に連設され、且つ、被取付部に着脱し得る取付部材を具備する手荷物収納具であって、
前記取付部材は、
前記ポケット部の上部の左右両端近傍に夫々連設された一対の上方バンドと、
前記ポケット部の下部の左右両端近傍に夫々連設された一対の下方バンドと、
前記一対の上方バンドと、これら上方バンドに各別に対応する下方バンドを結合分離可能に連結する連結具と、を具備し、
前記上方バンドは前記被取付部の上側から裏側に回される一方、前記下方バンドは前記被取付部の下側から裏側に回され、これら被取付部の裏側の上方バンドと下方バンドが前記連結具で結合分離可能に連結される、手荷物収納具』である。
請求項７に係る考案の手荷物収納具を、遊戯台の上方に隣接する壁板に取り付ければ、請求項１の手荷物収納具となる。
【考案の効果】
【００１２】
本考案は次の特有の効果を有する。
請求項１、２に係る考案によれば、遊戯台の上方に取り付けた手荷物収納具に、遊戯者の手荷物が収納できる。従って、手荷物を遊戯者の膝に置く場合のように手荷物が遊戯の障害にならない。又、遊戯者の視線が届き易い遊戯台の上方に手荷物を収納するから、遊戯者の視線が届き難い足元に手荷物を置く場合と相違し、盗難の恐れが少なく、防犯面でも有効である。
また、ポケット部には、上方開放部や左右開放部から手荷物を出し入れすることができるから、手荷物の出し入れが容易である。
【００１３】
請求項３に係る考案によれば、実質的に平坦な矩形状シートを折り畳んでジョイントで結合するだけでポケット部が形成できるから、該ポケット部の形成が容易である。
請求項４に係る考案では、既述したように、ポケット部に収納した手荷物を外部から透視できるから、手荷物の置き忘れの心配が少ない。
【００１４】
請求項５に係る考案では、ポケット部が網シートで形成されているから、手荷物収納具の軽量化が図れる。
請求項６に係る考案では、補助ポケットに装飾用又は宣伝広告用の印刷物等を装填することができるから、店内装飾や店の宣伝広告に有効である。
請求項７に係る考案では、これを遊戯台の上方に隣接する壁板に取り付ければ、請求項１の手荷物収納具となる。
【考案を実施するための最良の形態】
【００１５】
以下に、本考案を実施するための最良の形態について添付図面を参照しながら説明する。
図１は、本考案の実施の形態に係る手荷物収納具を展開した状態の斜視図である。
本実施の形態に係る手荷物収納具は、矩形状の網シート(1)で形成されていると共に、該網シート(1)の長手方向（手荷物収納具の上下方向）の中央部には、後述するポケット部(6)の底に位置する細長い帯板状の中敷板(2)が添設されていると共に、該中敷板(2)は、網シート(1)の左右全幅に亘って延びる態様で設けられている。
【００１６】
網シート(1)に於ける中敷板(2)の一対の短辺(20a)(20b)に沿った部分には、上方に延びる背の低い矩形状の側部シート(18a)(18b)が設けられており、該側部シート(18a)(18b)には、これの一方の側辺(d)、底辺(e)、他方の側辺(f)に沿って網シート(1)が逢着されている。
【００１７】
網シート(1)に於ける一方の短辺(11)から中敷板(2)の配設部までの領域は、手荷物収納具を組み立てた状態では後述のポケット部(6)の前シート部(16)となる。又、中敷板(2)の配設部から他方の短辺(14)までの領域は、手荷物収納具を組み立てた状態では後述のポケット部(6)の後ろシート部(17)になる。従って、上記前シート部(16)は、請求項３に係る考案の考案特定事項たる「矩形状シートの下部領域」に対応する。一方、前記後ろシート(17)は、請求項３に係る考案の考案特定事項たる「矩形状シートの上部領域」に対応する。
【００１８】
網シート(1)の前シート部(16)側の短辺(11)、即ち、前シート部(16)の先端部の両端近傍（左右両端近傍）には、ポケット固定バンド(12a)(12b)の一端が鋲(a)(a)で結合されていると共に、ポケット固定バンド(12a)(12b)の他端には後述するジョイントを構成するジョイント雄具(13a)(13b)が取り付けられている。
【００１９】
網シート(1)の後ろシート部(17)側の短辺(14)の両端近傍（左右両端近傍）には、上方バンド(4a)(4b)が鋲(b)(b)で結合されていると共に、上方バンド(4a)(4b)の鋲(b)(b)部分から中敷板(2)側への延長部には、前記ジョイント雄具(13a)(13b)に着脱自在に連結されるジョイント雌具(15a)(15b)が取り付けられている。そして、これらジョイント雌具(15a)(15b)とジョイント雄具(13a)(13b)によって、前シート部(16)と後ろシート部(17)を重ね合わせ状態に結合する為の既述考案特定事項たるジョイントが構成されている。
【００２０】
網シート(1)には、中敷板(2)の裏側に一端が固定された下方バンド(3a)(3b)が連設されていると共に、該下方バンド(3a)(3b)は、中敷板(2)の短辺近傍、即ち、網シート(1)の左右両端近傍に逢着されている。下方バンド(3a)(3b)には、上方バンド(4a)(4b)を連結するための連結具(30a)(30b)が取り付けられている。この連結具(30a)(30b)は、「日」字状の枠体である。
【００２１】
図１に於いて、前シート部(16)の裏面側には、矩形状の透明シート(51)が添設されている。この透明シート(51)は、中敷板(2)側の長辺(52)と一対の短辺(53)(54)が前シート部(16)に逢着されており、これにより、透明シート(51)と前シート部(16)の間は、前シート部(16)の先端側に開放する補助ポケット(5)となる。
【００２２】
本実施の形態に係る手荷物収納具を組み立てるときは、図１に示すような、展開状態にある手荷物収納具（実質的に平坦な矩形状シート）の、前シート部(16)の先端側の左右近傍に連設されたジョイント雄具(13a)(13b)を後ろシート部(17)側の対応するジョイント雌具(15a)(15b)に結合する。すると、図２に示すように、前シート部(16)と後ろシート部(17)の間にポケット部(6)が形成される。したがって、ポケット部(6)は、上方及び左右方向に開放している。
【００２３】
一方、図３に示すように、パチンコ台やスロットマシーン等の遊戯台(7)の正面上方には、メンテナンス用の幕板(70)の下端がヒンジ部材（図示せず）で上下回動自在に配設されており、幕板(70)を、前記ヒンジ部材を支点として上方に回動すると、その裏側の機械等のメンテナンスが行える。そして、本実施の形態では、前記幕板(70)が、既述請求項１の考案特定事項たる「壁板」及び請求項７の考案特定事項たる「被取付部」に対応する。
【００２４】
手荷物収納具を遊戯台(70)の上方に取り付けるときは、図３に示すように、遊戯台遊戯台(7)の上方に隣接する幕板(70)の正面にポケット部(6)の後ろシート部(17)を沿わせた状態にする。この状態で、後ろシート部(17)の上部に連設された左右一対の上方バンド(4a)(4b)を幕板(70)の上側から裏側に回す。次に、ポケット部(6)を構成する底シート部(60)に連設された左右一対の下方バンド(3a)(3b)を、幕板(70)の下側から裏側に回し、幕板(70)の裏側で連結具(30a)(30b)を利用して上方バンド(4a)(4b)と連結する。具体的には、「日」字状の枠体からなる連結具(30a)(30b)（図１参照）のバンド挿通孔(31)に下方から挿通させた上方バンド(4a)(4b)の先端を、中央桟(32)の上面を経由して他方のバンド挿通孔(33)に下向きに挿通させ、これにより、下方バンド(3a)(3b)と上方バンド(4a)(4b)を連結具(30a)(30b)で連結する。これにより、下方バンド(3a)(3b)と上方バンド(4a)(4b)が幕板(70)に捲回された状態になり、本実施の形態に係る手荷物収納具が遊戯台の上方の幕板(70)に取り付けられる。従って、本実施の形態では、下方バンド(3a)(3b)及び上方バンド(4a)(4b)と、これらを結合分離可能に連結する連結具(30a)(30b)の組み合わせが、請求項１の発明特定事項たる「取付部材」に対応する。
【００２５】
幕板(70)に取り付けられた手荷物収納具に遊戯者の手荷物を収納するときは、ポケット部(6)の上方開放部（前シート部(16)と後ろシート部(17)の上部相互間）や、ポケット部(6)の左右開放部（前シート部(16)と後ろシート部(17)の側部相互間）からポケット部(6)内に手荷物を入れる。
【００２６】
このものでは、手荷物を遊戯台(7)の上方の手荷物収納具に収納できるから、手荷物を遊戯者の膝に置く場合のように、手荷物が遊戯の障害にならない。又、遊戯者の視線が届き易い遊戯台の上方に手荷物を収納するから、遊戯者の視線が届き難い足元に手荷物を置く場合と相違し、盗難の恐れが少なく、防犯面でも有効である。
【００２７】
又、ポケット部(6)は、内部を透視できる材料たる網シート(1)で形成されているから、ポケット部(6)に収納された手荷物を外部から透視することができ、手荷物の置き忘れの心配が少ない。
【００２８】
又、装飾用又は宣伝広告用の印刷物等は、前シート部(16)とその表面に添設された透明シート(51)との間に形成された補助ポケット(5)に、上方から差し込むことができる。従って、店内装飾や店の宣伝広告に有効である。
【図面の簡単な説明】
【００２９】
【図１】本考案の実施の形態に係る手荷物収納具の展開状態の斜視図
【図２】本考案の実施の形態に係る手荷物収納具の組み立て状態の斜視図
【図３】本考案の実施の形態に係る手荷物収納具を遊戯台(7)の上方の幕板(70)に取り付けた状態の断面図
【図４】本考案の実施の形態に係る手荷物収納具を遊戯台(7)の上方の幕板(70)に取り付けた状態の斜視図
【符号の説明】
【００３０】
(1)・・・網シート
(3a)(3b)・・・下方バンド
(4a)(4b)・・・上方バンド
(5)・・・補助ポケット
(6)・・・ポケット部
(30a)(30b)・・・連結具
【図１】
0003127058.tif 000003
【図２】
0003127058.tif 000004
【図３】
0003127058.tif 000005
【図４】
0003127058.tif 000006